【手続補正書】
【提出日】平成20年11月29日(2008.11.29)
【手続補正１】
【補正対象書類名】特許請求の範囲
【補正対象項目名】全文
【補正方法】変更
【補正の内容】
【特許請求の範囲】
【請求項１】
走行車台（２）の下方に左右の走行クローラ（３，３）を設け、走行車台（２）上の左側に脱穀部（５）を設け、該脱穀部（５）の前方に刈取搬送部（８）を昇降自在に設け、走行車台（２）上の右側前部に操縦席（４）を設け、該操縦席（４）の後方にグレンタンク（６）を設けたコンバインにおいて、前記脱穀部（５）の扱室（１１）内に扱胴（１２）を軸架し、該扱胴（１２）の下部外周を第１受網（１３）で覆い、扱室（１１）の右側後方に排塵処理室（１４）を設け、該排塵処理室（１４）内に排塵処理胴（１５）を軸架し、該排塵処理胴（１５）の下方を第２受網（１４ａ）で覆い、扱室（１１）の後端部から連通口を介して排塵処理室（１４）へ排塵物が送り込まれ、該排塵処理室（１４）内で後側に送られながら処理される構成とし、排塵処理室（１４）の下方に第二室（１９）を設け、該第二室（１９）内に第二胴（２０）を軸架し、該第二胴（２０）の下部に底板（２１）を設けると共に該第二胴（２０）の左側は開放し、扱室（１１）の下方に選別部（２６）を設け、該選別部（２６）の前側部に設けた唐箕（２７）からの選別風が流れる選別風路（２８）に揺動選別棚（２９）を設け、該揺動選別棚（２９）の後端側上方の位置に横断流ファン（３３）を設け、排塵処理室（１４）から漏下した脱穀処理物を第二室（１９）に供給して第二胴（２０）で前側に送り、該第二室（１９）の前側部から揺動選別棚（２９）の前部に落下させる構成としたことを特徴とするコンバイン。
【手続補正２】
【補正対象書類名】明細書
【補正対象項目名】全文
【補正方法】変更
【補正の内容】
【発明の詳細な説明】
【発明の名称】コンバイン
【技術分野】
【０００１】
この発明は、コンバインに関するものである。
【背景技術】
【０００２】
コンバインの脱穀選別装置において、扱胴の内装されている扱室の左右一側後方に排塵処理胴の内装されている排塵処理室を設け、排塵処理室の下方には二番処理胴の内装されている二番処理室を設け、この二番処理室及び二番処理胴を扱室の左右一側まで前方に向けて延長し、二番処理室での脱穀処理物を下方の揺動選別棚に供給するものは公知である（特許文献１）。
【特許文献１】特開２００２−１２５４４３号公報
【発明の開示】
【発明が解決しようとする課題】
【０００３】
前記従来技術にあっては、狭い二番処理室では扱室からの排塵物及び二番揚穀機で揚穀された二番物を脱穀処理するため、二番物の脱穀処理が不十分となり循環回数が増えたり、二番処理室で詰まりが発生するという不具合があった。そこで、この発明はこのような不具合を解消しようとするものである。
【課題を解決するための手段】
【０００４】
この発明は、走行車台（２）の下方に左右の走行クローラ（３，３）を設け、走行車台（２）上の左側に脱穀部（５）を設け、該脱穀部（５）の前方に刈取搬送部（８）を昇降自在に設け、走行車台（２）上の右側前部に操縦席（４）を設け、該操縦席（４）の後方にグレンタンク（６）を設けたコンバインにおいて、前記脱穀部（５）の扱室（１１）内に扱胴（１２）を軸架し、該扱胴（１２）の下部外周を第１受網（１３）で覆い、扱室（１１）の右側後方に排塵処理室（１４）を設け、該排塵処理室（１４）内に排塵処理胴（１５）を軸架し、該排塵処理胴（１５）の下方を第２受網（１４ａ）で覆い、扱室（１１）の後端部から連通口を介して排塵処理室（１４）へ排塵物が送り込まれ、該排塵処理室（１４）内で後側に送られながら処理される構成とし、排塵処理室（１４）の下方に第二室（１９）を設け、該第二室（１９）内に第二胴（２０）を軸架し、該第二胴（２０）の下部に底板（２１）を設けると共に該第二胴（２０）の左側は開放し、扱室（１１）の下方に選別部（２６）を設け、該選別部（２６）の前側部に設けた唐箕（２７）からの選別風が流れる選別風路（２８）に揺動選別棚（２９）を設け、該揺動選別棚（２９）の後端側上方の位置に横断流ファン（３３）を設け、排塵処理室（１４）から漏下した脱穀処理物を第二室（１９）に供給して第二胴（２０）で前側に送り、該第二室（１９）の前側部から揺動選別棚（２９）の前部に落下させる構成としたことを特徴とするコンバインとする。
【発明の効果】
【０００５】
この発明によると、排塵処理室（１４）から漏下した脱穀処理物を第二室（１９）に供給し、第二胴（２０）で前側に送って、第二室（１９）の前側部から揺動選別棚（２９）の前部に落下供給して選別することができるので、小さな空間構成でありながら脱穀処理能力を高め、揺動選別棚（２９）には熟れた脱穀処理物を供給することができて選別能率を高めることができる。
【発明を実施するための最良の形態】
【０００６】
以下、図面に示すこの発明の実施の形態について説明する。
図１にはコンバイン１の全体側面図が図示されている。コンバイン１の走行車台２の下方には、土壌面を走行する左右一対の走行クローラ３，３を配設し、走行車台２上には、右側前部に操縦席４を、左側前部に脱穀部５を、操縦席４の後方にグレンタンク６を、脱穀部５及びグレンタンク６の後方に排稾処理装置７をそれぞれ配設している。脱穀部５の前方には、植立穀稈を引越しながら刈り取り後方の脱穀部５に向けて搬送する刈取搬送部８を昇降自在に設けている。
【０００７】
次に、図２及び図３に基づき脱穀部５について説明する。図２は脱穀部５の切断側面図、図３は脱穀部５の切断正面図である。
扱室１１内には前後方向の扱胴軸１２ａにより扱胴１２を軸架し、扱胴１２の周面には多数の扱歯１２ｂ，…を取り付け、扱胴１２の下部外周を受網（第１受網）１３で覆っている。扱室１１の右側方（図３の左側）には第一処理室１６を設け、第一処理室１６内には前後方向の第一処理胴軸１７ａにより処理歯１７ｂ，…付きの第一処理胴１７を軸架している。
【０００８】
また、第一処理室１６の後方には排塵処理室１４を前後方向に沿わせて設け、排塵処理室１４内には前後方向の排塵処理胴軸１５ａにより処理歯１５ｂ，…付きの排塵処理胴１５を軸架し、第一処理胴軸１７ａと排塵処理胴軸１５ａとを軸心一致状態として連結している。第一処理室１６の第一処理胴１７の下方を無孔あるいは有孔の底板１６ａで覆い、排塵処理室１４の排塵処理胴１５の下方を受網（第２受網）１４ａで覆っている。
【０００９】
そして、第一処理室１６と排塵処理室１４との間を仕切壁１６ｂにより仕切り、第一処理室１６には扱室１１の右側（図３の左側）の受網１３を経て被処理物が漏過し前側に送られながら脱穀処理され、後述の二番処理室１９の前側部を経て揺動選別棚２９に落下する。また、排塵処理室１４には扱室１１の後端部の連通口から排塵物が送り込まれ、後側に送られながら脱穀処理され揺動選別棚２９の後部に落下するように構成している。
【００１０】
また、第一処理室１６及び排塵処理室１４の下方には第二処理室（第二室）１９を設け、第二処理室１９内には前後方向の第二処理胴軸２０ａにより処理歯２０ｂ，…付きの第二処理胴（第二胴）２０を軸架し、第二処理胴２０の下部には無孔あるいは部分的に有孔の底板２１を設け、第二処理胴２０の左側方は開放している。また、二番揚穀機３５により第二処理室１９の前側部に二番物を揚穀するように構成している。
【００１１】
しかして、第二処理室１９の後側部では、排塵処理室１４から脱穀処理物が漏過供給され、第二処理胴２０の処理歯２０ｂ，…により前側に送りながら脱穀処理され、また、第二処理室１９の前側部では、後側部から送られた被処理物と二番物とを混合しながら脱穀処理し、後述の揺動選別棚２９の前側部に落下供給され選別される。
【００１２】
また、第一処理胴１７及び第二処理胴２０の扱室１１に近い側を上側に向けて回転するように、また、扱胴１２の第一処理胴１７に近い側を上側に向けて回転するように構成している。扱室１１の左側方（図３では右側）には脱穀用穀稈を移送するフィードチエン（図示省略）を設け、フィードチエン（図示省略）の搬送下手側には排藁搬送装置（図示省略）を設け、脱穀済み排藁を後方の排稾処理装置７に搬送するように構成している。
【００１３】
また、扱室１１の下方から後方にかけて選別部２６を設けている。選別部２６の前側部の唐箕２７から選別風路２８に後側に流れるように選別風を送り、選別風路２８には前後方向に往復揺動する揺動選別棚２９を配設している。揺動選別棚２９の上側部には、前側から後側に向けてグレンパン２９ａ、チャフシーブ２９ｂ及びストローラック２９ｃからなる粗選別部を構成し、揺動選別棚２９の下側部には前側から後側に向けて下部グレンパン２９ｄ及び網体の下部グレンシーブ２９ｅからなる精選別部を構成し、扱室１１、排塵処理室１４、第一処理室１６及び第二処理室１９から落下供給される脱穀処理物を受けて、後側に揺動移送しながら比重選別するように構成している。
【００１４】
選別風路２８の底部前側部に選別一番穀粒を受ける一番ラセン３１ａ付きの一番受樋３１を設け、底部後側部に選別二番物を受ける二番ラセン３２ａ付きの二番受樋３２を設け、また、選別風路２８の後側終端部で且つ揺動選別棚２９の終端側上方部位に横断流ファン３３を配設し、揺動選別棚２９で選別されながら後側に送られる軽い藁屑類、及び、排塵処理室１４から排出される軽い藁屑類を機外に吸引排出するように構成している。
【００１５】
また、一番受樋３１に選別された穀粒は一番揚穀機（図示省略）により前記グレンタンク６に揚穀収納され、また、二番受樋３２に選別された二番物は二番揚穀機３５により揚穀されて第二処理室１９の前後方向中途部に供給され、第二処理胴２０の処理歯２０ｂ，…により脱穀処理され、第二処理室１９の前側端部から揺動選別棚２９の前側端部に供給される。
【００１６】
前記構成によると、フィードチエン（図示省略）により穀稈が扱室１１に供給されると、回転している扱胴１２の扱歯１２ｂ，…と受網１３により脱穀され、受網１３から漏過した穀粒や小さな藁屑類は揺動選別棚２９の前側部に落下し選別される。また、比較的大きな排塵物は扱室１１の後側端部から連通口を通って排塵処理室１４に送られ、排塵処理胴１５の処理歯１５ｂ，…により脱穀処理されながら後側に送られ、後部の排出口から揺動選別棚２９の後側部に落下し選別される。
【００１７】
また、扱室１１で脱穀処理中の一部の穀稈切れや藁屑類は受網１３を通って第一処理室１６に漏過し、第一処理胴１７の処理歯１７ｂ，…により脱穀処理されながら前側に送られ、第二処理室１９の前側部を経て揺動選別棚２９の前側部に落下し選別される。
【００１８】
また、排塵処理室１４で脱穀処理中の被処理物一部は下方の第二処理室１９の後部に漏過供給され、また、揺動選別棚２９により選別された二番物は二番揚穀機３５により第二処理室１９の前後方向中途部に供給される。これら被処理物は第二処理胴２０の処理歯２０ｂ，…により前側に送られながら脱穀処理され、第二処理室１９の前側部から揺動選別棚２９の前側部に落下供給され選別される。
【００１９】
前記構成によると、扱室１１の扱胴１２、排塵処理室１４の排塵処理胴１５、第一処理室１６の第一処理胴１７及び第二処理室１９の第二処理胴２０の複数胴により被処理物を脱穀処理をするにあたり、扱室１１の脱穀処理物を排塵処理室１４及び第一処理室１６に分散しながら脱穀処理し、また、排塵処理室１４及び第一処理室１６の被処理物を第二処理室１９に分散しながら脱穀処理するので、小さな空間構成でありながら脱穀処理能力を高めることができる。また、揺動選別棚２９には熟れた脱穀処理物を供給することができて大きな藁屑類の供給を抑制し、揺動選別棚２９の選別能率を高めることができる。
【００２０】
なお、第一処理胴１７の処理歯１７ｂ及び第二処理胴２０の処理歯２０ｂを、例えば、小さな板体を多数離間させて不連続状態に構成すると、被処理物中の枝梗類を細断し脱穀処理を促進することができる。
【００２１】
また、図２及び図３の実施形態において、第二処理室１９における二番揚穀機３５からの二番物還元位置よりも後側部の上手側を、無孔の底板２１により構成し、二番揚穀機３５からの二番物還元位置よりも前側部の底板２１を、有孔の底板あるいは受網で構成してもよい。
【００２２】
前記構成によると、第二処理室１９の前側部では、二番揚穀機３５で揚穀還元された二番物中の熟れたものを受網から漏過しながら円滑に脱穀処理することができ、また、受網からの漏過物を揺動選別棚２９の前側部に落下供給し、揺動選別棚２９の前後の供給量を均等化し選別精度を高めることができる。
【００２３】
また、図２及び図３の実施形態において、第一処理室１６の底板１６ａを有孔の受網で構成し、排塵処理室１４の底板１４ａを有孔の受網により構成し、第二処理室１９の底板２１を後部から前部までの全範囲にわたり無孔の底板で構成してもよい。
【００２４】
前記構成によると、第一処理室１６の被処理物を二番処理室１９に漏過させながら脱穀処理することができて負荷が軽減し、また、第二処理室１９の被処理物全量を揺動選別棚２９の前側部に供給することができ、揺動選別棚２９の前後の供給量のバランスが向上し、選別精度を高めることができる。
【００２５】
また、図２及び図３の実施形態において、第一処理室１６の底板１６ａを無孔の底板で構成し、排塵処理室１４の底板１４ａを有孔の受網により構成し、第二処理室１９の底板２１を後部から前部までの全範囲にわたり無孔の底板で構成してもよい。
【００２６】
前記構成によると、第一処理室１６及び第二処理室１９では被処理物の脱穀処理が促進され、揺動選別棚２９の前部に熟れた脱穀処理物を供給することができて選別精度を高めることができる。
【００２７】
また、図２及び図３の実施形態において、第一処理室１６の底板１６ａを有孔の受網で構成し、排塵処理室１４の底板１４ａを有孔の受網により構成し、第二処理室１９における二番揚穀機３５からの二番物還元位置よりも後側の上手側の底板２１を無孔の底板で構成し、前側部の下手側の底板２１を有孔の底板あるいは受網により構成し、且つ、第一処理室１６の受網１６ａの目合いを、第二処理室１９の前側部の受網の目合いよりも大に構成してもよい。
【００２８】
前記構成によると、第一処理室１６と第二処理室１９の前側部とでは、被処理物を大きさ順に二段階に脱穀処理することができて脱穀処理が円滑化し、また、揺動選別棚２９の前後の供給量を均等化し選別精度を高めることができる。
【００２９】
また、図２及び図３の実施形態において、第一処理室１６の底板１６ａを有孔の受網により構成し、排塵処理室１４の底板１４ａを有孔の受網により構成し、第二処理室１９における二番揚穀機３５からの二番物還元位置よりも後側部の底板２１を無孔の底板に構成し、前側部の底板２１を有孔の底板あるいは受網に構成し、且つ、第一処理室１６の底板１６ａの目合いを第二処理室１９の前側部の底板２１の目合いよりも大に構成し、第一処理胴１７の処理歯１７ｂの先端回転速度を第二処理胴２０の処理歯２０ｂの先端回転速度よりも速く構成してもよい。
【００３０】
前記構成によると、第一処理室１６と第二処理室１９の前側部では、被処理物を大きさ順に二段階に脱穀処理することができて脱穀処理が円滑化し、また、第一処理胴１７の処理歯１７ｂの先端回転速度を第二処理胴２０の処理歯２０ｂの先端回転速度よりも速くすることで、枝梗の熟れがよくなり揺動選別棚２９での選別精度が向上し、また、揺動選別棚２９の前後の供給量を均等化し、選別精度を高めることができる。
【００３１】
また、図２及び図３の実施形態において、第一処理室１６の底板１６ａを有孔の受網で構成し、排塵処理室１４の底板１４ａを有孔の受網により構成し、第二処理室１９における二番揚穀機３５からの二番物還元位置よりも後側部の底板２１を無孔の底板とし、前側部の底板２１を有孔の底板あるいは受網で構成し、且つ、第一処理室１６の底板１６ａの受網の目合いを第二処理室１９の底板２１の受網の目合いよりも大に構成し、第一処理胴１７の処理歯１７ｂの先端回転速度を第二処理胴２０の処理歯２０ｂの先端回転速度よりも遅くするように構成してもよい。
【００３２】
前記構成によると、第一処理室１６から第二処理室１９の前側部への被処理物の漏過分散が促進して二段階の脱穀処理が円滑化し、また、第一処理胴１７の処理歯１７ｂの先端回転速度を第二処理胴２０の処理歯２０ｂの先端回転速度よりも遅くすることで、第一処理胴室１６及び第二処理室１９から枝梗の熟れた脱穀処理物を揺動選別棚２９の前側部に供給することができて、揺動選別棚２９での選別精度が向上し、また、揺動選別棚２９の前後の供給量を均等化し、選別精度を高めることができる。
【００３３】
また、図４及び図５に示すように構成してもよい。第一処理室１６の底板１６ａを有孔の受網で構成し、排塵処理室１４の底板１４ａを有孔の受網により構成し、第二処理室１９の二番揚穀機３５の還元位置よりも後側部の底板２１を無孔の底板で構成し、第二処理室１９の二番揚穀機３５の還元位置よりも前側部の底板２１を有孔の受網で構成する。そして、第一処理胴１７の処理歯１７ｂ、及び、第二処理室１９の二番揚穀機３５の還元位置よりも前側部の二番処理胴２０の処理歯２０ｂを、多数の小さな板体を不連続に配列した構成とし、第二処理室１９の二番揚穀機３５の還元位置よりも後側部の二番処理胴２０の処理歯２０ｂを連続したラセン処理歯により構成する。
【００３４】
前記構成によると、排塵処理室１４か第二処理室１９の後側部に落下した被処理物を脱ぷ米を少なくしながら脱穀処理して第二処理室１９の前側部に送り、第二処理室１９の前側部では二番揚穀機３５で揚穀された二番物と混合しながら不連続の処理歯２０ｂにより脱穀処理するので、脱ぷ米を少なくしながら脱穀処理することができ、また、揺動選別棚２９の前部への供給を増やして前後の供給量を均等化し選別精度を高めることができる。
【００３５】
また、図４及び図５の実施形態において、第二処理室１９の後側部から前側部の全底板２１を無孔の底板に構成してもよい。このように構成すると、排塵処理室１４から第二処理室１９の後側部に落下した被処理物は、第二処理胴２０の後側部の連続したラセン処理歯２０ｂと無孔の底板２１により脱ぷ米を少なくしながら脱穀処理されながら前側部に送られ、第二処理室１９の前側部では二番揚穀機３５により揚穀された二番物と混合しながら不連続の処理歯２０ｂにより脱穀処理されるので、脱ぷ米を少なくしながら脱穀処理することができる。
【００３６】
また、図４及び図５の実施形態において、第二処理胴２０の後側部の処理歯２０ａの先端回転速度を第一処理胴１７の処理歯１７ｂの先端回転速度よりも速く構成してもよい。前記構成によると、第二処理室１９の後側部では、排塵処理室１４から漏過した被処理物は第二処理胴２０の後側部の連続したラセン処理歯２０ｂと無孔の底板２１により脱ぷ米を少なくしながら脱穀処理されながら前側部に送られ、第二処理室１９の前側部では、二番揚穀機３５により揚穀された二番物と混合しながら不連続の先端回転速度の速い処理歯２０ａにより脱穀処理されるので、脱ぷ米を少なくしながら枝梗の熟れを促進することができる。
【００３７】
また、図６及び図７に示すように構成してもよい。第一処理室１６の底板１６ａを有孔の受網で構成し、排塵処理室１４の底板１４ａを有孔の受網により構成し、第二処理室１９の前部部の底板２１を有孔の底板により構成し、第二処理室１９の後側部の底板２１を無孔の底板により構成し、第二処理胴２０の後側部から前側部の全処理歯２０ｂを連続したラセン処理歯により構成する。
【００３８】
前記構成によると、扱室１１からの漏過物を第一処理室１６から第二処理室１９の前側部に迅速に漏過供給し、第二処理室１９の前側部では、二番揚穀機３５からの二番物及び第二処理室１９の後側部からの脱ぷ米の少ない被処理物とを混合して連続したラセン処理歯２０ｂにより脱穀処理するので、脱ぷ米を少なくし詰まりを少なくしながら脱穀処理することができる。
【００３９】
また、図６及び図７の実施形態において、第二処理室１９の前側部から後側部の全底板２１を無孔の底板により構成してもよい。前記構成によると、扱室１１からの漏過物を第一処理室１６から第二処理室１９の前側部に迅速に漏過供給し、第二処理室１９の前側部では、二番揚穀機３５からの二番物、及び、第二処理室１９の後側部から脱ぷ米の少ない被処理物を混合しながら連続したラセン処理歯２０ｂにより脱穀処理するので、脱ぷ米を少なく詰まりを回避しながら脱穀処理を促進させることができる。
【００４０】
また、図６及び図７の実施形態において、第一処理胴１７の処理歯１７ｂの先端回転速度を第二処理胴２０の処理歯２０ｂの先端回転速度よりも速くするように構成してもよい。前記構成によると、第一処理室１６では、扱室１１からの漏過物を非連続の処理歯１７ｂによりに枝梗の熟れを良くしながら第二処理室１９の前側部に迅速に漏過供給することができる。
【００４１】
また、図８及び図９に示すように構成してもよい。第一処理室１６の底板１６ａを有孔の受網で構成し、排塵処理室１４の底板１４ａを有孔の受網により構成し、第二処理室１９の前側部の底板２１を有孔の受網で構成し、第二処理室１９ｃの後側部の底板２１を無孔の底板により構成する。また、第一処理室１６の第一処理胴１７の処理歯１７ｂを連続したラセン処理歯により構成し、排塵処理室１４の排塵処理胴１５の処理歯を多数の小さな板体を独立状に配置して非連続の処理歯に構成し、第二処理胴２０の前側部の処理歯２０ｂを多数の小さな板体を独立状に配置して非連続の処理歯に構成し、第二処理胴２０の後側部の処理歯２０ｂを連続したラセン処理歯で構成する。
【００４２】
前記構成によると、扱室１１からの漏過物を第一処理室１６から第二処理室１９の前側部に迅速に漏過供給し、第二処理室１９の後側部から脱ぷ米の少ない被処理物を詰まりを回避しながら第二処理室１９の前側部に円滑に移送し、第二処理室１９の前側部では、二番揚穀機３５からの二番物を混合しながら非連続の処理歯２０ｂにより脱穀処理するので、脱ぷ米を少なくしながら脱穀処理を進めることができる。
【００４３】
また、図８及び図９の実施形態において、第一処理室１６の底板１６ａの受網の目合いを第二処理室１９の前側部の底板２０の受網の目合いよりも大きく構成してもよい。前記構成によると、扱室１１から漏過した被処理物が第一処理室１６と第二処理室１９の後側部を経て段階的に揺動選別棚２９に漏過し、脱穀処理を促進することができる。
【００４４】
また、図８及び図９の実施形態において、第二処理胴２０の後側部の非連続の処理歯２０ｂの先端回転速度を第一処理胴１７のラセン処理歯１７ｂの先端回転速度よりも速く構成してもよい。前記構成によると、第二処理室１９の前側部では、第一処理室１６からの漏過被処理物と二番揚穀機３５からの二番物を混合しながら速く回転する非連続の処理歯２０ｂにより脱穀処理するので、脱ぷ米の発生を少なくしながら脱穀処理を促進することができる。
【００４５】
また、図１０及び図１１のように構成してもよい。
第一処理室１６の底板１６ａを有孔の受網で構成し、排塵処理室１４の底板１４ａを有孔の受網により構成し、第二処理室１９の前側部の底板２１を有孔の受網で構成し、第二処理室１９の後側部の底板２１を無孔の底板により構成する。第一処理胴１７の処理歯１７ｂを連続したラセン処理歯により構成し、排塵処理胴１５の処理歯１７ｂを多数の小さな板体を独立状に配置した非連続な処理歯に構成し、第二処理胴２０の後側部から前側部までの全ての処理歯２０ｂを連続したラセン処理歯に構成する。
【００４６】
前記構成によると、扱室１１からの漏下物を第一処理室１６から第二処理室１９の前側部に迅速に漏過供給し、第二処理室１９の後側部から脱ぷ米の少ない被処理物を第二処理室１９の前側部に移送し、第二処理室１９の前側部では、二番揚穀機３５からの二番物を混合しながらラセン処理歯２０ｂにより脱穀処理するので、脱ぷ米の発生を抑制しながら脱穀処理することができる。  
【００４７】
また、図１０及び図１１の実施形態において、第二処理室１９の前側部から後側部までの全ての底板２１を無孔の底板により構成してもよい。前記構成によると、扱室１１からの漏下物を第一処理室１６から第二処理室１９の前側部に迅速に漏過供給し、第二処理室１９の後側部から脱ぷ米の少ない被処理物を第二処理室１９の前側部に円滑に移送し、第二処理室１９の前側部では、二番揚穀機３５からの二番物を混合しながらラセン処理歯２１により脱穀処理するので、脱ぷ米の発生を抑制しながら脱穀処理をすることができる。
【００４８】
更に、第二処理胴２０のラセン処理歯２０ｂの先端回転速度を第一処理胴１７のラセン処理歯１７ｂの先端回転速度よりも速く構成を附加してもよい。このように構成すると、扱室１１からの漏過物を第一処理室１６から第二処理室１９の前側部に迅速に漏過供給し、第二処理室１９の後側部から脱ぷ米の少ない被処理物を第二処理室１９の前側部に円滑に移送することができ、第二処理室１９の前側部では、二番揚穀機３５からの二番物と混合しながらラセン処理歯２０ｂにより脱穀処理するので、脱ぷ米の発生を抑制しながら脱穀処理をすることができ、種子用の脱穀装置として用いることもできる。
【００４９】
また、図１２及び図１３に示すように構成してもよい。第一処理室１６の底板１６ａを有孔の受網あるいは無孔の底板で構成し、排塵処理室１４の底板１４ａを有孔の受網により構成し、第二処理室１９を前部第二処理室１９ａと後部第二処理室１９ｂとの分割構成し、前部第二処理室１９ａの底板２１ａを有孔の受網あるいは無孔の底板で構成し、後部第二処理室１９ｃの底板２１ｂを無孔の底板により構成している。また、第一処理胴１７の処理歯１７ｂ、排塵処理胴１５の処理歯１５ｂ、前部第二処理胴２０ａの前部処理歯２０ｃ及び後部第二処理胴２０ｂの後部処理歯２０ｄを、多数の小さな板体を独立させた非連続の処理歯に構成する。
【００５０】
第一処理室１６と排塵処理室１４との間、及び、前部第二処理室１９ａと後部第二処理室１９ｂとの間を中仕切り板３７，３７により仕切り、後部第二処理室１９ｂの前側端部に後部還元口３８を開口して、揺動選別棚２９の中途部に脱穀処理物を供給可能に構成している。また、二番揚穀機３５により二番物を前部第二処理胴１９ａに還元するように構成する。
【００５１】
前記構成によると、複胴構成でありながら、扱室１１からの漏過物は第一処理室１６、前部第二処理室１９ａに供給され、非連続の処理歯１７ｂ，前部処理歯２０ｃにより良好に細断処理され揺動選別棚２９に供給される。また、扱室１１からの排塵物は塵処理室１４、後部第二処理室１９ｂに供給され、非連続の処理歯１５ｂ及び後部処理歯２０ｄにより細断処理されて揺動選別棚２９の前後中間部に供給され選別される。従って、被処理物中の枝梗の脱穀処理能力を高め、藁屑類と穀粒との混合比率を少なくしながら揺動選別棚２９の前後の供給量を均等化して選別能率を高め、小さな空間構成でありながら脱穀選別能力を高めることができる。
【００５２】
また、図１２及び図１３の実施形態において、第一処理室１６の底板１６ａを有孔の受網で構成し、排塵処理室１４の底板１４ａを有孔の受網により構成し、前部第二処理室１９ａの底板２１ａ、及び、後部第二処理室１９ｃの底板２１ｂを無孔の底板により構成してもよい。
【００５３】
前記構成によると、扱室１１からの漏過物の枝梗を第一処理室１６から前部第二処理室１９ａを漏過しながら良好に処理して揺動選別棚２９に供給し、また、扱室１１の排塵物中の枝梗を排塵処理室１４、後部第二処理室１９ｂを経ながら良好に処理して揺動選別棚２９に供給するので、脱穀処理能力及び選別能率を高め、また、揺動選別棚２９の前部への供給を増やして前後の供給量を均等化し、穀粒の三番飛散を少なくしながら選別精度を高めることができる。
【００５４】
また、図１２及び図１３の実施形態において、第一処理室１６の底板１６ａを無孔の底板で構成し、前部第二処理室１９ａの底板２１ａを有孔の受網により構成してもよい。前記構成によると、扱室１１からの漏過物を第一処理室１６では非連続の処理歯１７ｂにより長い脱穀処理の後揺動選別棚２９に供給し、また、前部第二処理室１９ａでは二番物を非連続の前部処理歯２０ｃにより細断処理しながら揺動選別棚２９へ迅速に漏過し、脱穀処理能力を高めることができる。
【００５５】
また、図１２及び図１３の実施形態において、第一処理室１６の底板１６ａを無孔の底板により構成し、前部第二処理室１９ａの底板２１ａを無孔の底板により構成してもよい。前記構成によると、第一処理室１６では、扱室１１からの漏過物を非連続の処理歯１７ｂにより長く脱穀処理して揺動選別棚２９に供給し、また、前部第二処理室１９ａでは、二番物を非連続の前部処理歯２０ｃにより長く細断処理し熟れた状態で揺動選別棚２９に供給するので、脱穀処理能力及び選別能率を高めることができる。
【００５６】
また、図１２及び図１３の実施形態において、第一処理室１６の底板１６ａの受網の目合いを前部第二処理室１９ａの底板２１ａの受網の目合いよりも大きく構成してもよい。前記構成によると、扱室１１から漏過した枝梗を第一処理室１６及び前部第二処理室１９ａにより段階的に処理することができ、枝梗の熟れを良くすることができる。
【００５７】
また、図１２及び図１３の実施形態において、第一処理室１６の底板１６ａの受網の目合いを前部第二処理室１９ａの底板１９ｃの受網の目合いよりも大きく構成し、前部第二処理胴２０ａの処理歯２０ｃの先端回転速度を第一処理胴１７の処理歯１７ｂの先端回転速度よりも遅く構成してもよい。
【００５８】
前記構成によると、扱室１１から漏過した枝梗を第一処理室１６から前部第二処理室１９ａを順次漏過させて非連続の処理歯１７ｂ，２０ｃにより脱穀処理するので枝梗の熟れが良くなり、第一処理室１６及び前部第二処理室１９ａの詰まりを防止しながら脱穀処理能力を高めることができる。
【００５９】
また、図１２及び図１３の実施形態において、第一処理室１６の底板１６ａを有孔の受網により構成し、前部第二処理室１９ａの底板２１ａを有孔の受網により構成し、第一処理室１６の受網の目合いを前部第二処理室１９ａの受網の目合いよりも小さく構成してもよい。
【００６０】
前記構成によると、第一処理室１６では扱室１１から漏過した枝梗の熟れを良くし、また、前部第二処理室１９ａでは第一処理室１６から漏過した被処理物と二番物とを混合しながら脱穀処理して揺動選別棚２９に円滑に漏過供給することができる。
【００６１】
また、図１２及び図１３の実施形態において、第一処理室１６の底板１６ａを有孔の受網により構成し、前部第二処理室１９ａの底板２１ａを有孔の受網により構成し、第一処理室１６の受網の目合いを前部第二処理室１９ａの受網の目合いよりも小さく構成し、第一処理室１７の処理歯１７ｂの先端回転速度を前部第二処理胴２０ａの処理歯２０ｃの先端回転速度よりも遅く構成してもよい。
【００６２】
前記構成によると、第一処理室１６では扱室１１から漏過した枝梗の脱穀処理を促進し、前部第二処理室１９ａでは、第一処理室１６から漏過した枝梗と二番物を混合しながら脱穀処理をして詰まりを防止することができる。
【００６３】
また、図１４及び図１５に示すように構成してもよい。
第一処理室１６の底板１６ａを有孔の受網により構成し、排塵処理室１４の底板１４ａを有孔の受網により構成し、前部第二処理室１９ｂの底板２１ａ、及び、後部第二処理室１９ｂの底板２１ｂを無孔の底板で構成する。第一処理室１６と排塵処理室１４との間、及び、前部第二処理室１９ａと後部第二処理室１９ｂとの間を、中仕切り板３７，３７により仕切り、後部第二処理室１９ｂの前側端部に後部還元口３８を開口して、揺動選別棚２９の中途部に脱穀処理物を供給可能に構成し、二番揚穀機３５により二番物を前部第二処理胴１９ａに還元するように構成する。
【００６４】
また、第一処理胴１７の処理歯１７ｂを連続したラセン処理歯で構成し、排塵処理胴１５の処理歯１５ｂを多数の小さな板体を独立状に配設して非連続の処理歯で構成し、前部第二処理胴２０ａの処理歯２０ｃ及び後部第二処理胴２０ｂの処理歯２０ｄを非連続の処理歯により構成する。
【００６５】
前記構成によると、第一処理室１６では、扱室１１からの藁屑類の少ない被処理物を第一処理胴１７のラセン処理歯１７ｂにより脱ぷ米の発生を少なくしながら脱穀処理して動選別棚２９の前側部に供給し、また、排塵処理室１４では扱室１１の後部から排出された藁屑類の多い排塵物を排塵処理胴１５の不連続の処理歯１５ｂで脱穀処理して揺動選別棚１９の後側部に供給し、後部第二処理室１９ｂでは、排塵処理室１４からの漏過物を後部第二処理胴２０ｂの不連続の処理歯２０ｄにより脱穀処理して揺動選別棚２９の前後中間部に供給し、前部第二処理室１９ａでは、第一処理室１６からの漏過物と二番物とを混合しながら非連続の処理歯２０ｃにより良好に脱穀処理して揺動選別棚２９の前側部に供給するので、脱穀処理能力及び選別能率を高めることができる。また、揺動選別棚２９の前後の供給量を均等化し、穀粒の三番飛散を少なくしながら選別精度を高めることができる。
【００６６】
また、１４及び図１５の実施形態において、第一処理胴１７のラセン処理歯１７ｂの先端回転速度を前部第二処理胴２０ａの処理歯２０ｃの先端回転速度よりも速くする構成を附加してもよい。前記構成によると、第一処理室１６では扱室１１からの藁屑類の少ない被処理物を第一処理胴１７のラセン処理歯１７ｂにより脱ぷ米を少なくしながら脱穀処理して動選別棚２９の前側部に供給し、また、前部第二処理室１９では第一処理室１６からの漏過物と二番物を混合しながら不連続の独立した処理歯２０ｃにより良好に脱穀処理して揺動選別棚２９の前側部に供給するので、脱穀処理能力及び選別能率を高めることができる。
【００６７】
また、１４及び図１５の実施形態において、第一処理室１６の底板１６ａを無孔の底板により構成し、排塵処理室１４の底板１４ａを有孔の受網により構成し、前部第二処理室１９ａの底板２１ａ、及び、後部第二処理室１９ｂの底板２１ｂを無孔の底板で構成してもよい。
【００６８】
前記構成によると、第一処理室１６では、扱室１１からの藁屑類の少ない被処理物を第一処理胴１７のラセン処理歯１７ｂにより脱ぷ米を少なくしながら脱穀処理して動選別棚２９の前側部に供給し、また、前部第二処理室１９では、第一処理室１６からの漏過物と二番物を混合しながら前部第二処理胴２０ａの不連続の処理歯２０ｃにより脱穀処理して揺動選別棚２９の前側部に供給するので、脱穀処理能力及び選別能率を高めることができる。
【００６９】
また、１４及び図１５の実施形態において、第一処理室１６の底板１６ａを無孔の底板により構成し、排塵処理室１４の底板１４ａを有孔の受網により構成し、前部第二処理室１９ａの底板２１ａ、及び、後部第二処理室１９ｂの底板２１ｂを無孔の底板で構成し、第一処理胴１７のラセン処理歯１７ｂの先端回転速度を前部第二処理胴２０ａの処理歯２０ｃの先端回転速度よりも速くする構成を附加してもよい。
【００７０】
前記構成によると、第一処理室１６では、扱室１１からの藁屑類の少ない漏過物を第一処理胴１７のラセン処理歯１７ｂにより脱ぷ米を少なくしながら脱穀処理して動選別棚２９の前側部に供給し、また、前部第二処理室１９ａでは、前部第二処理胴２０ａの不連続の処理歯２０ｃにより二番物の枝梗を良好に処理して揺動選別棚２９の前側部に供給するので、脱穀処理能力及び選別能率を高めることができる。
【００７１】
次に、図１６及び図１７の実施形態について説明する。
第一処理胴１７内装の第一処理室１６の底板１６ａを無孔の底板あるいは有孔の受網により構成し、排塵処理胴１５内装の排塵処理室１４の底板１４ａを有孔の受網により構成し、前部第二処理室１９ａの底板２１ａ、及び、後部第二処理室１９ｂの底板２１ｂを無孔の底板あるいは有孔の受網で構成する。
【００７２】
また、第一処理室１６と排塵処理室１４との間、及び、前部第二処理室１９ａと後部第二処理室１９ｂとの間を中仕切り板３７，３７により仕切り、後部第二処理室１９ｂの前側端部に後部還元口３８を開口して、揺動選別棚２９の中途部に脱穀処理物を供給可能に構成し、また、二番揚穀機２９により二番物を前部第二処理室１９ａに還元するように構成する。
【００７３】
また、第一処理胴１７の処理歯１７ｂを多数の小さな板体を独立状に配置した不連続の処理歯に構成し、排塵処理室１４の排塵処理胴１５の処理歯１５ｂを小さな板体を多数離間させた独立状に構成し、前部第二処理胴２０ａの処理歯２０ｃを連続したラセン処理歯で構成し、後部第二処理胴２０ｂの処理歯２０ｄを多数の小さな板体を独立状に配置した不連続の処理歯に構成している。
【００７４】
前記構成によると、第一処理室１６では、扱室１１から漏過した被処理物中の枝梗を第一処理胴１７の不連続の処理歯１７ｂにより良好に脱穀処理して動選別棚２９の前側部に供給し、また、排塵処理室１４では、扱室１１の後部から排出された藁屑類の多い排塵物を排塵処理胴１５の不連続の処理歯１５ｂで細かく脱穀処理して揺動選別棚１９の後側部に供給し、後部第二処理室１９ｂでは、排塵処理室１４から漏過した被処理物中の枝梗を後部第二処理胴２０ｃの非連続の処理歯２０ｄにより良好に脱穀処理して揺動選別棚２９の中途部に供給し、また、前部第二処理室１９ａでは、二番物を前部第二処理胴２０ａのラセン処理歯２０ｃにより脱ぷ米の発生を少なくしながら脱穀処理して揺動選別棚２９の前側部に供給するので、脱穀処理能力及び選別能率を高めることができる。また、揺動選別棚２９の前後への供給量を均等化し、穀粒の三番飛散を少なくしながら選別精度を高めることができる。
【００７５】
また、図１６及び図１７の実施形態において、第一処理室１６の底板１６ａを有孔の受網で構成し、前部第二処理室１９ａの底板２１ａを有孔の受網で構成すると、第一処理室１６では被処理物の漏下を促進しながら枝梗の脱穀処理を促進し、前部第二処理室１９ａでは第一処理室１６からの漏過物及び二番物を混合しながら脱ぷ米の発生を抑制しながら脱穀処理をし、脱穀処理物の漏過を促進しながら揺動選別棚２９に供給することができる。
【００７６】
また、図１６及び図１７の実施形態において、第一処理室１６の底板１６ａを有孔の受網で構成し、前部第二処理室１９ａの底板２１ａを無孔の底板で構成すると、第一処理室１６では被処理物の漏過を促進しながら枝梗の脱穀処理を促進し、前部第二処理室１９ａでは第一処理室１６からの漏過物及び二番物を混合しながら脱ぷ米の発生を抑制しながら脱穀処理をすることができる。
【００７７】
また、図１６及び図１７の実施形態において、第一処理室１６の受網１６ａの目合いを、前部第二処理室１９ａの受網２１ａの目合いよりも大きく構成すると、扱室１１からの漏過物を第一処理室１６と前部第二処理室１９ａで段階的に漏過しながら脱穀処理をするので、熟れがよくなり、また、前部第二処理室１９ａでは脱ぷ米の発生を抑制しながら二番物を脱穀処理することができる。
【００７８】
また、図１６及び図１７の実施形態において、第一処理胴１７の処理歯１７ｂの先端回転速度を前部第二処理胴２０ａのラセン処理歯２０ｃの先端回転速度よりも速くすると、第一処理室１６で枝梗の熟れを良くし、前部第二処理室１９ａでは脱ぷ米の発生を抑制しながら二番物の脱穀処理をすることができる。
【００７９】
次に、図１８及び図１９の実施形態について説明する。
第一処理胴１７内装の第一処理室１６の底板１６ａを無孔の底板あるいは有孔の受網により構成し、排塵処理胴１５内装の排塵処理室１４の底板１４ａを有孔の受網により構成し、前部第二処理室１９ａの底板２１ａ、及び、後部第二処理室１９ｂの底板２１ｂを無孔の底板あるいは有孔の受網で構成する。
【００８０】
また、第一処理室１６と排塵処理室１４との間、及び、前部第二処理室１９ａと後部第二処理室１９ｂとの間を中仕切り板３７，３７により仕切り、後部第二処理室１９ｂの前側端部に後部還元口３８を開口して、揺動選別棚２９の中途部に脱穀処理物を供給可能に構成し、また、二番揚穀機２９により二番物を前部第二処理室１９ａに還元するように構成する。
【００８１】
また、第一処理胴１７の処理歯１７ｂを連続したラセン処理歯で構成し、排塵処理胴１５の処理歯１５ｂを小さな板体を多数離間させた独立状の非連続の処理歯に構成し、前部第二処理胴２０ａの処理歯２０ｃを多数の小さな板体を独立状に配置した不連続の処理歯に構成し、後部第二処理胴２０ｂの処理歯２０ｄを連続したラセン処理歯に構成する。
【００８２】
前記構成によると、第一処理室１６では扱室１１から漏過した被処理物を第一処理胴１７の不連続の処理歯１７ｂにより脱ぷ米の発生を抑制しながら良好に脱穀処理して動選別棚２９の前側部に供給し、また、排塵処理室１４では扱室１１の後部から排出された藁屑類の多い排塵物を排塵処理胴１５の不連続の処理歯１５ｂで脱穀処理して揺動選別棚１９の後側部に供給し、また、後部第二処理室１９ｂでは排塵処理室１４から漏過した被処理物を後部第二処理胴２０ｃの連続したラセン処理歯２０ｄにより脱ぷ米の発生を抑制しながら脱穀処理して揺動選別棚２９の中途部に供給し、また、前部第二処理室１９ａでは第一処理室１６から漏過した被処理物と二番物を後部第二処理胴２０ａの非連続の処理歯２０ｃにより混合しながら枝梗の熟れを良くして揺動選別棚２９の前側部に供給するので、脱穀処理能力及び選別能率を高めることができる。また、揺動選別棚２９の前後の供給量を均等化し、穀粒の三番飛散を少なくしながら選別精度を高めることができる。
【００８３】
また、図１８及び図１９の実施形態において、第一処理室１６の底板１６ａを有孔の受網で構成し、前部第二処理室１９ａの底板２１ａを有孔の受網で構成すると、第一処理室１６では被処理物の漏過を促進しながら脱ぷ米の発生を少なくしながら脱穀処理を促進し、また、前部第二処理室１９ａでは二番物の脱ぷ米の発生を抑制しながら脱穀処理することができる。
【００８４】
また、図１８及び図１９の実施形態において、第一処理室１６の底板１６ａを有孔の受網で構成し、前部第二処理室１９ａの底板２１ａを無孔の底板で構成すると、第一処理室１６では被処理物の漏過を促進し脱ぷ米の発生を抑制しながら脱穀処理を促進し、前部第二処理室１９ａでは二番物の枝梗の熟れを良くしながら脱穀処理をすることができる。
【００８５】
また、図１８及び図１９の実施形態において、第一処理室１６の受網１６ａの目合いを、前部第二処理室１９ａの受網２１ａの目合いよりも小さく構成すると、第一処理室１６では被処理物を脱ぷ米の発生を抑制しながら脱穀処理を促進し、前部第二処理室１９ａでは二番物の枝梗の処理を促進し詰まりを防止しながら脱穀処理することができる。
【００８６】
また、図１８及び図１９の実施形態において、第一処理胴１７の連続したラセン処理歯１７ｂの先端回転速度を前部第二処理室２０ａの非連続の処理歯２０ｃの先端回転速度よりも遅く構成すると、第一処理室１６では被処理物の脱ぷ米の発生を少なくしながら脱穀処理し、前部第二処理室１９ａでは二番物の枝梗の熟れを良くしながら脱穀処理をすることができる。
【００８７】
また、図１８及び図１９の実施形態において、第一処理胴１７の連続したラセン処理歯１７ｂの先端回転速度を前部第二処理胴２０ａの非連続の処理歯２０ｃの先端回転速度よりも速くすると、第一処理室１６では被処理物を脱ぷ米の発生を少なくしながら脱穀処理を促進し、前部第二処理室１９ａでは二番物の枝梗の熟れを良くしながら脱穀処理をすることができる。
【００８８】
次に、図２０及び図２１の実施形態について説明する。
第一処理胴１７内装の第一処理室１６の底板１６ａを無孔の底板あるいは有孔の受網により構成し、排塵処理胴１５内装の排塵処理室１４の底板１４ａを有孔の受網により構成し、前部第二処理室１９ａの底板２１ａ、及び、後部第二処理室１９ｂの底板２１ｂを無孔の底板あるいは有孔の受網で構成する。
【００８９】
また、第一処理室１６と排塵処理室１４との間、及び、前部第二処理室１９ａと後部第二処理室１９ｂとの間を中仕切り板３７，３７により仕切り、後部第二処理室１９ｂの前側端部に後部還元口３８を開口して、揺動選別棚２９の中途部に脱穀処理物を供給可能に構成し、また、二番揚穀機２９により二番物を前部第二処理室１９ａに還元するように構成する。
【００９０】
また、第一処理胴１７の処理歯１７ｂを多数の小さな板体を独立状に配置した非連続の処理歯に構成し、排塵処理胴１５の処理歯１５ｂを多数の小さな板体を独立状に配置した非連続の処理歯に構成し、前部第二処理胴２０ａの処理歯２０ｃ、及び、後部第二処理胴２０ｂの処理歯２０ｄを連続したラセン処理歯により構成する。
【００９１】
前記構成によると、第一処理室１６では扱室１１から漏過物を第一処理胴１７の不連続の処理歯１７ｂにより枝梗の熟れを良くしながら脱穀処理して動選別棚２９の前側部に供給し、また、排塵処理室１４では扱室１１の後部から排出された藁屑類の多い排塵物を排塵処理胴１５の不連続の処理歯１５ｂで脱穀処理して揺動選別棚１９の後側部に供給し、また、後部第二処理室１９ｂでは排塵処理室１４から漏過した被処理物を後部第二処理胴２０ｃの連続したラセン処理歯２０ｄにより脱ぷ米の発生を抑制しながら脱穀処理して揺動選別棚２９の中途部に供給し、また、前部第二処理室１９ａでは第一処理室１６から漏過した被処理物と二番物を連続した処理歯２０ｃにより混合しながら脱ぷ米の発生を抑制しながら脱穀処理して揺動選別棚２９の前側部に供給するので、脱穀処理能力及び選別能率を高めることができる。また、揺動選別棚２９の前後の供給量を均等化し、穀粒の三番飛散を少なくしながら選別精度を高めることができる。
【００９２】
また、図２０及び図２１の実施形態において、第一処理室１６の底板１６ａを有孔の受網で構成し、前部第二処理室１９ａの底板２１ａを有孔の受網で構成し、後部第二処理室１９ｂの底板２１ｂを無孔の底板で構成すると、第一処理室１６では被処理物の漏過促進を図り枝梗の熟れを良くしながら脱穀処理をし、また、前部第二処理室１９ａでは二番物を脱ぷ米の発生を抑制しながら脱穀処理することができる。
【００９３】
また、図２０及び図２１の実施形態において、第一処理室１６の底板１６ａを有孔の受網で構成し、前部第二処理室１９ａの底板２１ａを無孔の底板で構成すると、第一処理室１６では被処理物の漏過を促進しながら枝梗の処理を促進し、前部第二処理室１９ａでは二番物の脱ぷ米の発生を抑制しながら脱穀処理することができる。
【００９４】
また、図２０及び図２１の実施形態において、第一処理室１６の受網１６ａの目合いを、前部第二処理室１９ａの受網２１ａの目合いよりも大きく構成すると、扱室１１からの漏過物を第一処理室１６と前部部第二処理室１９ａを経て段階的に脱穀処理できて熟れが良くなり、脱ぷ米の発生を少なくしながら脱穀処理することができる。
【００９５】
また、図２０及び図２１の実施形態において、第一処理胴１７の非連続の処理歯１７ｂの先端回転速度を前部第二処理室２０ａの連続したラセン処理歯２０ｃの先端回転速度よりも遅く構成すると、第一処理室１６では被処理物を脱ぷ米の発生を少なくしながら脱穀処理し、前部第二処理室１９ａでは二番物を脱ぷ米の発生を少なくしながら熟れを良くすることができる。
【００９６】
また、図２０及び図２１の実施形態において、第一処理胴１７の非連続の処理歯の先端回転速度を前部第二処理室２０ａの連続したラセン処理歯２０ｃの先端回転速度よりも速くすると、第一処理室１６では枝梗の熟れを良くしながら脱穀処理をし、前部第二処理室１９ａでは二番物を脱ぷ米の発生を少なくしながら脱穀処理することができる。
【００９７】
次に、図２２及び図２３の実施形態について説明する。
第一処理胴１７内装の第一処理室１６の底板１６ａを無孔の底板あるいは有孔の受網により構成し、排塵処理胴１５内装の排塵処理室１４の底板１４ａを有孔の受網により構成し、前部第二処理室１９ａの底板２１ａ、及び、後部第二処理室１９ｂの底板２１ｂを無孔の底板あるいは有孔の受網で構成する。
【００９８】
また、第一処理室１６と排塵処理室１４との間、及び、前部第二処理室１９ａと後部第二処理室１９ｂとの間を中仕切り板３７，３７により仕切り、後部第二処理室１９ｂの前側端部に後部還元口３８を開口して、揺動選別棚２９の中途部に脱穀処理物を供給可能に構成し、二番揚穀機２９により二番物を前部第二処理室１９ａに還元するように構成する。
【００９９】
また、第一処理室１６の第一処理胴１７の処理歯１７ｂを多数の小さな板体を独立状に配置した非連続の処理歯に構成し、排塵処理室１４の排塵処理胴１５の処理歯１５ｂを多数の小さな板体を独立状に配設した非連続の処理歯に構成し、前部第二処理胴２０ａの処理歯２０ｃを多数の小さな板体を独立状に配設した非連続の処理歯に構成し、後部第二処理胴２０ｂの処理歯２０ｄを連続したラセン処理歯により構成する。
【０１００】
前記構成によると、第一処理室１６では扱室１１から漏過した被処理物を第一処理胴１７の不連続な処理歯１７ｂにより脱ぷ米の発生を抑制しながら良好に脱穀処理して動選別棚２９の前側部に供給し、また、排塵処理室１４では扱室１１の後部から排出された藁屑類の多い排塵物を排塵処理胴１５の不連続の処理歯１５ｂで脱穀処理して揺動選別棚１９の後側部に供給し、また、後部第二処理室１９ｂでは排塵処理室１４から漏過した被処理物を後部第二処理胴２０ｃの連続したラセン処理歯２０ｄにより脱ぷ米の発生を抑制しながら脱穀処理して揺動選別棚２９の中途部に供給し、また、前部第二処理室１９ａでは第一処理室１６から漏過した被処理物と二番物を前部第二処理胴２０ａ非連続の処理歯２０ｃにより混合しながら枝梗の脱穀処理を高めて揺動選別棚２９の前側部に供給するので、脱穀処理能力及び選別能率を高めることができる。また、揺動選別棚２９の前後の供給量を均等化し、穀粒の三番飛散を少なくしながら選別精度を高めることができる。
【０１０１】
また、図２２及び図２３の実施形態において、第一処理室１６の底板１６ａを有孔の受網で構成し、前部第二処理室１９ａの底板２１ａを有孔の受網で構成し、後部第二処理室１９ｂの底板２１ｂを無孔の底板で構成すると、第一処理室１６では被処理物の漏下を促進しながら枝梗の熟れを良くし、また、前部第二処理室１９ａでは二番物を枝梗の熟れを良くしながら脱穀処理することができる。
【０１０２】
また、図２２及び図２３の実施形態において、第一処理室１６の底板１６ａを有孔の受網で構成し、前部第二処理室１９ａの底板２１ａを無孔の底板で構成すると、第一処理室１６では被処理物の漏過を促進しながら枝梗の熟れを良くし、前部第二処理室１９ａでは二番物の枝梗の熟れを良くしながら脱穀処理することができる。
【０１０３】
また、図２２及び図２３の実施形態において、第一処理室１６の受網１６ａの目合いを、前部第二処理室１９ａの受網２１ａの目合いよりも大きく構成すると、扱室１１から漏過した被処理物を第一処理室１６と前部第二処理室１９ａで段階的に脱穀処理することができ、枝梗の熟れを良くしながら脱穀処理することができる。
【０１０４】
また、図２２及び図２３の実施形態において、第一処理胴１７の非連続の処理歯１７ｂの先端回転速度を、前部第二処理室２０ａの非連続の処理歯２０ｃの先端回転速度よりも遅く構成すると、第一処理室１６では被処理物を脱ぷ米の発生を抑制しながら脱穀処理し、前部第二処理室１９ａでは二番物の枝梗の熟れを良くしながら脱穀処理をすることができる。
【０１０５】
また、図２２及び図２３の実施形態において、第一処理胴１７の非連続の処理歯１７ｂの先端回転速度を、前部第二処理室２０ａの非連続の処理歯２０ｃの先端回転速度よりも速くすると、第一処理室１６では被処理物を枝梗の熟れを良くしながら脱穀処理をし、前部第二処理室１９ａでは二番物を枝梗の熟れを良くし脱ぷ米の発生を少なくしながら脱穀処理をすることができる。
【図面の簡単な説明】
【０１０６】
【図１】コンバインの全体側面図
【図２】脱穀部の断側面図
【図３】脱穀部の切断正面図
【図４】脱穀部の切断側面図
【図５】脱穀部の切断正面図
【図６】脱穀部の切断側面図
【図７】脱穀部の切断正面図
【図８】脱穀部の切断側面図
【図９】脱穀部の切断正面図
【図１０】脱穀部の切断側面図
【図１１】脱穀部の切断正面図
【図１２】脱穀部の切断側面図
【図１３】脱穀部の切断正面図
【図１４】脱穀部の切断側面図
【図１５】脱穀部の切断正面図
【図１６】脱穀部の切断側面図
【図１７】脱穀部の切断正面図
【図１８】脱穀部の切断側面図
【図１９】脱穀部の切断正面図
【図２０】脱穀部の切断側面図
【図２１】脱穀部の切断正面図
【図２２】脱穀部の切断側面図
【図２３】脱穀部の切断正面図
【符号の説明】
【０１０７】
２    走行車台
３    走行クローラ
４ 操縦席
５    脱穀部
６ グレンタンク
８ 刈取搬送部
１１    扱室
１２    扱胴
１３    受網（第１受網）
１４    排塵処理室
１４ａ 受網（第２受網）
１５    排塵処理胴
１９    第二処理室（第二室）
２０    第二処理胴（第二胴）
２０ｂ  処理歯
２１ 底板
２６ 選別部
２７ 唐箕
２８ 選別風路
２９    揺動選別棚
３３ 横断流ファン